(57)【要約】【課題】磁石挿入孔に単に磁石を傾けて挿入する場合に比べて、磁石が磁石挿入孔の内壁面に接触する面積を小さくする回転電機のロータを提供する。【解決手段】ロータコアは電磁鋼板を積層して形成される。このロータコア中の磁石挿入孔１６ａには、一方の内壁面の下端付近に電磁鋼板による第１の突起２６が設けられており、対面する内壁面の上端付近には電磁鋼板による第２の突起２８が設けられている。永久磁石３０は、磁石挿入孔１６ａよりも薄く形成されており、突起２６の上側と、突起２８の先端側に接触する姿勢で磁石挿入孔１６ａ内に固定される。【選択図】図４
2019068655.tif 000002
【特許請求の範囲】
【請求項１】
一対の対向する長辺をもつ細長孔が設けられた電磁鋼板を回転軸方向に複数枚積層して形成されたロータコアと、
前記細長孔が重ね合わされることで前記ロータコアに形成された磁石挿入孔と、
前記磁石挿入孔に挿入された永久磁石と、
前記磁石挿入孔に充填され、前記永久磁石を前記磁石挿入孔内に固定させる絶縁充填剤と、
を備え、
前記磁石挿入孔の一方の長辺の面には、回転軸方向一端付近に電磁鋼板による第１の突起が設けられており、
前記磁石挿入孔の他方の長辺の面には、回転軸方向他端付近に電磁鋼板による第２の突起が設けられており、
前記永久磁石は、前記長辺間の距離よりも薄く形成され、前記第１の突起の前記回転軸方向他端側と、前記第２の突起の先端とに接触する姿勢で前記磁石挿入孔内に固定されている、ことを特徴とする回転電機のロータ。
【発明の詳細な説明】
【技術分野】
【０００１】
本発明は、回転電機の構造に関し、特に、ロータの構造に関する。
【背景技術】
【０００２】
回転電機のロータには、ロータコアに設けられた磁石挿入孔に磁石を挿入するＩＰＭ（Interior Permanent Magnet）型ロータと呼ばれるタイプのものがある。
【０００３】
下記特許文献１には、ＩＰＭ型ロータにおいて、磁石挿入孔に挿入した磁石を絶縁性の充填剤で固定する場合に、磁石を傾斜させた姿勢で固定する技術が開示されている。そして、磁石とロータコアとの接触部分を小さくできること、これにより、磁石表面に絶縁皮膜が形成されていない場合でも、磁石を介してロータコアに流れる渦電流ループ経路が大きく形成されるのを制限できることが記載されている。
【先行技術文献】
【特許文献】
【０００４】
【特許文献１】国際公開第２０１２／１６９０４３号
【発明の概要】
【発明が解決しようとする課題】
【０００５】
ＩＰＭ型ロータにおいて、磁石挿入孔に磁石を単に傾けて挿入する場合にも、磁石の角は磁石挿入孔の内壁面（ロータコア）にある程度接触する。また、磁石を所望の位置に設置する工程に時間がかかることが想像される。
【０００６】
本発明の目的は、磁石挿入孔に単に磁石を傾けて挿入する場合に比べて、磁石が磁石挿入孔の内壁面に接触する面積を減らすことにある。
【０００７】
また、本発明の別の目的は、磁石挿入孔に単に磁石を傾けて挿入する場合に比べて、磁石の位置決めを容易にすることにある。
【課題を解決するための手段】
【０００８】
本実施形態にかかる回転電機のロータは、一対の対向する長辺をもつ細長孔が設けられた電磁鋼板を回転軸方向に複数枚積層して形成されたロータコアと、前記細長孔が重ね合わされることで前記ロータコアに形成された磁石挿入孔と、前記磁石挿入孔に挿入された永久磁石と、前記磁石挿入孔に充填され、前記永久磁石を前記磁石挿入孔内に固定させる絶縁充填剤と、を備え、前記磁石挿入孔の一方の長辺の面には、回転軸方向一端付近に電磁鋼板による第１の突起が設けられており、前記磁石挿入孔の他方の長辺の面には、回転軸方向他端付近に電磁鋼板による第２の突起が設けられており、前記永久磁石は、前記長辺間の距離よりも薄く形成され、前記第１の突起の前記回転軸方向他端側と、前記第２の突起の先端とに接触する姿勢で前記磁石挿入孔内に固定されている、ことを特徴とする。
【発明の効果】
【０００９】
本実施形態にかかる回転電機のロータによれば、磁石挿入孔に単に磁石を傾けて挿入する場合に比べて、磁石が磁石挿入孔の内壁面に接触する面積が小さくなるため、磁石を介してロータコアに流れる渦電流ループ経路を制限し、渦電流損失を減少させることが可能となる。
【００１０】
また、別の観点からは、この回転電機のロータを製造する際に、磁石を所望の位置に挿入するプロセスが簡易化されることが期待できる。
【図面の簡単な説明】
【００１１】
【図１】実施形態に係るロータの概略的な端面図である。
【図２】２つの磁石挿入孔の端面図である。
【図３】磁石挿入孔の鉛直断面図である。
【図４】磁石挿入孔に永久磁石を挿入する過程を示した時系列図である。
【発明を実施するための形態】
【００１２】
以下に本実施形態の例について説明する。ここでは、理解を容易にするために、具体的な例を含めて説明を行っているが、本実施形態は、ここで説明した内容に限定されるものではなく、適宜変更することが可能である。
【００１３】
図１は、回転電機のロータ１０の概略的な端面図である。ロータ１０は、回転軸であるシャフト１２と、シャフト１２の周りに設けられたロータコア１４を含んでいる。ロータコア１４の外周近くには、複数の磁石挿入孔１６ａ、１６ｂ、１６ｃ、１６ｄ、・・・（以下、特に個々の孔について強調する必要が無い場合には、単に磁石挿入孔１６という場合がある。）が設けられている。そして、磁石挿入孔１６には、図示省略した永久磁石が挿入される。
【００１４】
シャフト１２は、例えば丸棒鋼材を加工して作られている。ロータコア１４は、例えば、板厚０．３ｍｍの珪素鋼板等を同心の円環状に打ち抜き加工して形成した多数の電磁鋼板を、軸方向に積層して構成されている。また、磁石挿入孔１６は、打ち抜き加工によってつくられた各電磁鋼板の孔が、積層されて軸方向に深さをもって形成されたものである。磁石挿入孔１６は、隣り合った二つの磁石挿入孔（例えば１６ａ、１６ｂの組、１６ｃ、１６ｄの組）が対となって一つの磁極を形成する。磁石挿入孔１６は、こうした磁極がロータコア１４の周方向に等間隔に並ぶように等間隔に配置されている。形成される磁極は、図示省略したロータ１０の周囲に配置されるステータから電磁気学的な力を受け、回転軸回りに（周方向に）回転する。
【００１５】
図２は、図１のロータコア１４における一対の磁石挿入孔１６ａ、１６ｂ付近を拡大した図である。磁石挿入孔１６ａは、長辺１８、２２及び短辺２０、２４によってつくられる細長の長方形状の端面（断面）をもつ。磁石挿入孔１６ａは、全ての電磁鋼板を貫いて形成されており、全体として直方体形状に作られている。このうち、径方向内側の長辺１８を含む内壁面には、長辺１８の中央付近であって回転軸方向の下端付近に突起２６が設けられている。この突起２６は、ある一枚の電磁鋼板を打ち抜く際にこの部分を残して形成されたものである。また、この面に対向する内壁面（径方向外側の長辺２２を含む内壁面）にも、長辺２２の中央付近であって回転軸方向の上端付近に突起２８が設けられている。この突起２８も、突起２６と同様にある一枚の電磁鋼板を打ち抜く際に形成されたものである。突起２６、２８は、隣の磁石挿入孔１６ｂを含む全ての磁石挿入孔１６に設けられている。
【００１６】
図３は、磁石挿入孔１６ａを図２のＡＡ面で切った断面図である。磁石挿入孔１６ａは、積層された電磁鋼板からなるロータコア１４に両側を挟まれている。そして、長辺１８の内壁面には、最下層よりも若干上側の層に、突起２６が設けられている。また、これと対向する長辺２２の内壁面には、最上層よりも若干下側の層に、突起２８が設けられている。
【００１７】
図４は、図３に示したものと同じ断面において、磁石挿入孔１６ａに永久磁石３０を挿入する過程を時系列で示した図である。図４（ａ）に示すように、永久磁石３０は、磁石挿入孔１６ａに対して、紙面の上側の開口部から挿入されている。この工程では、ロータコア１４は、電磁鋼板がほぼ水平になる姿勢に保たれており、永久磁石３０は、鉛直方向下向きに挿入されている。挿入にあたっては、永久磁石３０は、長辺１８の内壁面に接触するか、あるいは接触しなくても長辺１８の内壁面に沿うように、磁石挿入孔１６ａに挿入される。これにより、永久磁石３０は、その下端が突起２６の上側の面に接触する。そして、この段階で永久磁石を保持する作業者あるいはロボットが、その保持を中止した場合には、永久磁石３０は、自重によって長辺２２の側に傾くことになる。
【００１８】
図４（ｂ）は、この段階の様子を示した図である。永久磁石３０は、下面３２の一部が突起２６に接触する形で、突起２６に乗って静止している。すなわち、永久磁石３０では、下面３２の一部の接触箇所３４において突起２６と接触している。接触箇所３４が接触するのは、突起２６の上面（永久磁石３０が挿入されてきた側の面）における先端付近である。永久磁石３０の下面３２における長辺１８の側の角部３６は、長辺１８の内壁面と接触する場合もあるし、接触しない場合もある。これは、後述するように、永久磁石３０と、長辺１８の内壁面との距離によって決まる。また、永久磁石３０の長辺２２の側の面３８は、その上部あるいは角部４０が、突起２８の先端に接触している。
【００１９】
図４（ｃ）は、その後に、磁石挿入孔１６ａに絶縁性の充填剤（例えば樹脂）を充填した様子を示している。充填剤を固化することで、永久磁石３０は、磁石挿入孔１６ａ内に固定される。図４（ｃ）では、充填剤は、磁石挿入孔１６ａの隙間全体に充填されることを想定している。しかし、充填剤は、永久磁石３０が高速回転に耐える強度で固定されるのであれば、空間の一部に充填されるだけでもよい。ロータコア１４の両端には、この後、必要に応じて、エンドプレートが設置される。
【００２０】
磁石挿入孔１６ａには、例えば、長辺２２側がＮ極、長辺１８側がＳ極である永久磁石３０が挿入される。同様にして、隣の磁石挿入孔１６ｂには、径方向の外側の長辺側にＮ極、径方向の内側の長辺側にＳ極をもつ永久磁石が挿入される。これにより、磁石挿入孔１６ａ、１６ｂは、全体として径方向外側がＮ極となる磁極が構成されることになる。また、この磁極の両隣には、全体として径方向外側がＳ極となる磁極が構成される。このようにして、ロータコア１４には、周方向に交互に等間隔で磁極が構成される。そして、ロータコア１４の周囲に置かれたステータの磁極を時間的に変化させる制御を行うことで、ロータは周方向に回転する。この過程で、永久磁石３０あるいは電磁鋼板には、渦電流が発生する。しかし、上述の通り、永久磁石３０は、磁石挿入孔１６ａとの接触面積が小さくなるように固定されていることから、渦電流のループが限定され、渦電流に伴うエネルギー損失を抑制することが可能となる。また、この結果として、永久磁石３０あるいはロータコア１４における温度上昇を限定的なものとすることも可能となる。
【００２１】
上の説明で明らかなように、突起２６、２８は、挿入される永久磁石３０の位置、姿勢を制御することになる。したがって、磁石挿入孔１６ａの大きさ、永久磁石３０の大きさ、永久磁石３０の姿勢などを勘案して、突起２６、２８の位置を決定することになる。永久磁石を磁石挿入孔１６ａの軸方向における中央付近に配置しようとする場合には、突起２６、２８はほぼ対称の位置に配置される。例えば、ロータコア１４の軸方向の高さが３０ｍｍであり、永久磁石の高さが２６ｍｍである場合、下側の突起２６はロータコア１４の下端面より３ｍｍ上に設け、上側の突起２８はロータコア１４の上端面より３ｍｍ下に設けることが考えられる。永久磁石３０が、下側の突起２６の上面に接触し、上側の突起２８の先端側に接触する非対称性を考慮して、例えば、下側の突起２６とロータコア１４の下端面の距離を、上側の突起２８とロータコア１４の上端面の距離よりも短くするようにしてもよい。また、ロータコア１４の上端面及び下端面にエンドプレートが設置されて、磁石挿入孔１６ａが蓋をされる場合には、エンドプレートとの干渉を起さない位置に永久磁石３０を設置する必要がある。
【００２２】
突起２６、２８の形状やサイズも、永久磁石３０の位置、姿勢に影響する。図４（ｂ）に図示したように、永久磁石３０は、長辺２２の内壁面側に自重で倒れると、磁石の設置工程が簡単化される。このためには、下側の突起２６の長さ（長辺１８の内壁面から先端までの突起長さ）が、永久磁石３０の厚さの半分以下であることが望ましい。これにより、永久磁石３０は、その重心が突起２６よりも先端側に位置することになり、長辺２２の内壁面側に倒れ込む。また、上側の突起２８は、この倒れ込みが可能となる程度に、短く設定することが好ましい。突起２８の突起長さが長くなりすぎると、永久磁石３０を挿入する作業効率を悪くしてしまう。また、永久磁石３０の傾きが小さい場合には、充填剤を充填する際に、永久磁石３０が動きやすくなってしまう。
【００２３】
突起２６、２８の幅（長辺１８、２２の辺方向の長さ）も様々に設定可能である。幅が狭い場合には、電磁鋼板との接触面積が減るが、永久磁石３０を設置の際の安定性が減少する。逆に、幅を広くした場合には、電磁鋼板との接触面積は増大するが、永久磁石３０を設置する際の安定性が高まる。また、突起２６または突起２８は、内壁面に１つだけ設けることにしてもよいが２個あるいは３個以上設けることにしてもよい。また、突起２６または突起２８は、１枚の電磁鋼板のみで作られてもよいが、複数枚の電磁鋼板によって作られてもよい。この場合には、突起２６または突起２８と、永久磁石３０との立体的な接触状態を制御することも可能となる。
【００２４】
また、突起２６、２８を設ける内壁面は、自由に選択可能である。上の説明では、磁石挿入孔１６ａにおいて、径方向内側の長辺１８の面に設けた突起２６が、挿入される永久磁石３０を奥側で待ち受けるものとした。これを変えて、径方向内側の長辺１８の面に設けられた突起２６を永久磁石３０の挿入端側（上端側）に設けるようにしてもよい。対になって磁極を構成するもう一方の磁石挿入孔１６ｂも、磁石挿入孔１６ａと同じ位置関係としてもよいし、異なる位置関係としてもよい。同様に、これ以外の磁石挿入孔１６における突起位置も自由に選択することができる。
【００２５】
上述した説明では、図４（ｂ）のタイミングにおいて、永久磁石３０の下面３２の角部３６が長辺１８の内壁面に接触するかどうかについて、十分な留意を払わなかった。角部３６が長辺１８の内壁面に接触する場合には、永久磁石３０の安定性が高まるが、永久磁石３０と電磁鋼板との接触面積が増える。これを勘案した上で、角部３６が長辺１８の内壁面に接触しないように、永久磁石３０を若干内壁面から離して設置するようにしてもよいし、角部３６が長辺１８の内壁面に接触するように、永久磁石３０を内壁面に近づけて設置してもよい。また、永久磁石３０の角部３６を長辺１８の内壁面に接触させる場合に、その接触面積が小さくなるように、角部３６が接触する部分の電磁鋼板の形状を変化させてもよい。例えば、突起２６よりも上側３ミリ以内の電磁鋼板の内壁面の一部を、周囲よりも凹ませた場合には、角部は凹ませていない部分にのみ接触し、凹ませた部分には接触しないため、接触面積を減らすことが可能となる。
【００２６】
以上の説明においては、磁石挿入孔１６は、各電磁鋼板において長方形の形状をもち、全体として直方体形状となるものとして説明した。しかし、磁石挿入孔１６の形状はこれに限られるものではない。例えば、上記特許文献１には、磁石に対応した長方形に加えて、さらに両短辺の外側に若干の円形に近い膨らみ空間を持たせた磁石挿入孔が記載されている。本実施形態は、このような変形した形状をもつ磁石挿入孔にも適用可能である。また、挿入する永久磁石３０の形状も、磁石挿入孔１６よりも薄い直方体形状であることを想定してきたが、これに限られるものではない。例えば、磁石挿入孔１６に傾けて挿入した場合に、ロータコア１４の上端面あるいは下端面から角部が飛び出さないように、傾けた状態で上端面あるいは下端面がロータコア１４の上端面あるいは下端面と並行となるような平行四辺形体とする例が挙げられる。
【符号の説明】
【００２７】
１０  ロータ、１２  シャフト、１４  ロータコア、１６，１６ａ，１６ｂ，１６ｃ，１６ｄ  磁石挿入孔、１８，２２  長辺、２０，２４  短辺、２６，２８  突起、３０  永久磁石、３２  下面、３４  接触箇所、３６，４０  角部、３８  面。
【図１】
2019068655.tif 000003
【図２】
2019068655.tif 000004
【図３】
2019068655.tif 000005
【図４】
2019068655.tif 000006